(57)【要約】【課題】工場等で使用する缶の缶蓋に容易に且つ簡易に孔を開けることができる缶用孔開け具を提供する。【解決手段】本発明の缶用孔開け具１は、缶胴１３の外側面にあてる支持部７と、缶蓋３の周縁の内側で缶蓋３に先端９ａが押し込まれる切羽９と、支持部７と切羽９との基端部９ｂにおいて支持部７と切羽９とを間隔を開けて連結した連結部１１とを備え、缶胴１３の外側面に支持部７をあてながら切羽９の先端９ａを缶蓋３の周縁よりも内側に配置して連結部１１を押し下げることにより、切羽９の支持部側面で孔Ｓの開口縁を押し潰しつつ缶蓋３に孔Ｓを開ける。【選択図】図１
2007302306.tif 000002
【特許請求の範囲】
【請求項１】
缶胴の外側面にあてる支持部と、缶蓋の周縁の内側で缶蓋に先端が押し込まれる切羽と、支持部と切羽との基端部において支持部と切羽とを間隔を開けて連結した連結部とを備え、缶胴の外側面に支持部をあてながら切羽の先端を缶蓋の周縁よりも内側に配置して連結部を押し下げることにより、切羽の支持部側面で孔の開口縁を押し潰しつつ缶蓋に孔を開けることを特徴とする缶用孔開け具。
【請求項２】
切羽は先端を頂点とし基端を底辺とする正面視三角形状を成しており、頂点から基端に向かう両側辺に沿って刃を有することを特徴とする請求項１に記載の缶用孔開け具。
【請求項３】
支持部は缶胴の外周側に突設した屈曲形状を成し、切羽は缶胴の外周側に突設した屈曲形状を成し、缶胴はコーナ部を有し、支持部は缶胴のコーナ部の外側面にあて、缶蓋のコーナ部に孔を開けることを特徴とする請求項２に記載の缶用孔開け具。
【請求項４】
切羽は屈曲した左右の一方側部と他方側部とに跨って設けた案内板を有し、案内板は切羽の両側辺間に平面を形成していることを特徴とする請求項３に記載の缶用孔開け具。
【請求項５】
切羽は先端が支持部から離れる方向に屈曲していることを特徴とする請求項３に記載の缶用孔開け具。
【請求項６】
連結部には、屈曲を成す支持部の一方側と他方側との各々に対応する位置に把持用グリップが形成してあることを特徴とする請求項４に記載の缶用孔開け具。
【請求項７】
支持部は脱着自在に連結部に取付けてあることを特徴とする請求項１〜６のいずれか一項に記載の缶用孔開け具。
【発明の詳細な説明】
【技術分野】
【０００１】
本発明は、一斗缶（約１８リットル缶）や半斗缶（約９リットル缶）等の缶に孔を開ける缶用孔開け具に関する。
【背景技術】
【０００２】
一般に、飲料製造や食品製造において添加液（例えば、練乳、シロップ等）を用いる場合に、これらの添加液等は缶に詰められ、工場等に搬入されている。これらの缶には缶蓋に注ぎ口が設けられているが、注ぎ口だけでは、注いでいるときに缶内の空気を補うために注ぎ口から空気が流入して注ぎ液が踊ってしまうため、別に空気孔を開ける必要がある。また、缶蓋には注ぎ口を設けていないものもある。したがって、缶から液を注ぎ出すときには缶蓋に孔を開けている。
【０００３】
特許文献１には、その図８に缶蓋のコーナ部に屈曲した形状の切羽を缶蓋の上から押し込んで缶蓋に孔を開けることが開示されている。
【０００４】
【特許文献１】特開２００４−３５９２７８号公報
【発明の開示】
【発明が解決しようとする課題】
【０００５】
しかし、上述の従来技術では、缶蓋に切羽のみを押しあてて孔を開けるので、切羽が不安定なために力が入り難くなると共に、力を入れ過ぎると切羽が勢いよく缶の中に入って缶内に落ちてしまうという問題がある。
【０００６】
更に、特許文献１の図３に開示のように、缶蓋にプルタブを設けた構成では、缶の製造工程が複雑になるという問題がある。
【０００７】
そこで、本発明は、工場等で使用する缶の缶蓋に容易に且つ簡易に孔を開けることができる缶用孔開け具を提供することを目的とする。
【課題を解決するための手段】
【０００８】
前記課題を解決するために、請求項１に記載された発明は、缶胴の外側面にあてる支持部と、缶蓋の周縁の内側で缶蓋に先端が押し込まれる切羽と、支持部と切羽との基端部において支持部と切羽とを間隔を開けて連結した連結部とを備え、缶胴の外側面に支持部をあてながら切羽の先端を缶蓋の周縁よりも内側に配置して連結部を押し下げることにより、切羽の支持部側面で孔の開口縁を押し潰しつつ缶蓋に孔を開けることを特徴とする。
【０００９】
請求項２に記載された発明は、請求項１に記載の発明において、切羽は先端を頂点とし基端を底辺とする正面視三角形状を成しており、頂点から基端に向かう両側辺に沿って刃を有することを特徴とする。
【００１０】
請求項３に記載された発明は、請求項２に記載の発明において、支持部は缶胴の外周側に突設した屈曲形状を成し、切羽は缶胴の外周側に突設した屈曲形状を成し、缶胴はコーナ部を有し、支持部は缶胴のコーナ部の外側面にあて、缶蓋のコーナ部に孔を開けることを特徴とする。
【００１１】
請求項４に記載された発明は、請求項３に記載の発明において、切羽は屈曲した左右の一方側部と他方側部とに跨って設けた案内板を有し、案内板は切羽の両側辺間に平面を形成していることを特徴とする。
【００１２】
請求項５に記載された発明は、請求項３に記載の発明において、切羽は先端が支持部から離れる方向に屈曲していることを特徴とする。
【００１３】
請求項６に記載された発明は、請求項４に記載の発明において、連結部には、屈曲を成す支持部の一方側と他方側との各々に対応する位置に把持用グリップが形成してあることを特徴とする。
【００１４】
請求項７に記載された発明は、請求項１〜６のいずれか一項に記載の発明において、支持部は脱着自在に連結部に取付けてあることを特徴とする。
【発明の効果】
【００１５】
請求項１に記載の発明によれば、缶蓋の周縁の内側に切羽を配置して押し下げると、支持部が缶胴の外側面に沿って移動すると共に、切羽と支持部とは缶胴の側壁を挟むようにして下方に移動して缶蓋に孔を開ける。
【００１６】
支持部は缶胴の外側面に沿って移動するので、支持部と共に移動する切羽を安定に押し下げることができ、缶蓋に容易に孔が形成できる。
【００１７】
切羽と支持部とは基端部が連結部により連結されているので、力を入れ過ぎて押し下げすぎた場合には連結部が缶胴の側壁頂部に当接して切羽の移動を停止するので、切羽が缶内に落ち込むことがない。
【００１８】
孔開け後に連結部を引き上げれば、支持部と共に切羽を缶蓋から容易に引き抜くことができる。
【００１９】
缶蓋に形成した孔の切口は、切羽の裏面（支持部側面）が缶蓋の内周縁側の切口を押圧して切口を押し潰すので、切口が鋭利になるのを防止できる。
【００２０】
請求項２に記載の発明によれば、切羽は先端が尖っており、押し込みにより開口を次第に広げるので、小さな力で缶蓋に容易に孔を開けることができる。
【００２１】
切羽は先端を頂点とする平面視三角形を成しているので、切羽の押し込み量を調整することにより、孔の大きさを容易に調整できる。
【００２２】
請求項３に記載された発明によれば、請求項２に記載された発明と同様の効果が得られると共に、支持部を缶胴の強度が高いコーナ部の外側面にあてて連結部を押し下げるので、缶胴の変形を防止できると共に、切羽及び支持部を屈曲して形成することにより、缶用孔開け具の強度も高くできる。
【００２３】
請求項４に記載された発明によれば、請求項３に記載された発明と同様の効果が得られると共に、缶用孔開け具を押し下げると、案内板が缶蓋の切片に当接して缶内に押し曲げるので、孔の切口が広くできると共に切口が鋭利にならない。
【００２４】
請求項５に記載された発明によれば、請求項３に記載された発明と同様の効果が得られると共に、缶蓋に孔を開けるときに切羽が缶蓋の上面に対して斜めに入り込むので、切り込みを形成しやすく、小さい力で容易に孔開けができる。
【００２５】
請求項６に記載された発明によれば、請求項４に記載された発明と同様の効果が得られると共に、連結部には屈曲した左右両側部にグリップを設けているので、缶のコーナ部において両手で左右のグリップを握って体重をかけた押し込みができる。
【００２６】
請求項７に記載された発明によれば、請求項１〜６のいずれか一項に記載された発明と同様の効果が得られると共に、切羽が缶内の内容物に触れて汚れた場合に支持部を外し連結部又はグリップを持って切羽を洗浄でき、連結部又はグリップを持って洗浄できるので、切羽の洗浄が容易である。また、支持部を外すことにより、切羽の裏側（支持部側面）が洗浄し易くなる。
【発明を実施するための最良の形態】
【００２７】
以下に、添付図面を参照して、本発明の実施の形態を詳細に説明する。図１は本発明の実施の形態にかかる缶用孔開け具の使用状態を示す斜視図であり、図２は図１に示す缶用孔開け具による孔開け操作前の状態を示す斜視図であり、図３は本発明の実施の形態にかかる缶用孔開け具を正面から見た斜視図であり、図４は図３に示す缶用孔開け具の側面図であり、図５は図３に示す缶用孔開け具の縦断面図であり、図６は缶用孔開け具により開けた孔の斜視図であり、図７は図６に示すＡ―Ａ断面図である。
【００２８】
本発明の実施の形態に係る缶用孔開け具１は、飲料の製造工場で飲料への添加物（練乳）が入った一斗（１８リットル）缶Ｋの缶蓋に孔を開けるものである。この一斗缶Ｋは直方体を成すブリキ製の缶であり、平面視四角形の缶蓋（天面）３にはその一つのコーナ付近に注ぎ口４が設けてあり、注ぎ口４は開封栓５により閉じてある。
【００２９】
缶用孔開け具１は、支持部７と、切羽９と、支持部７と切羽９との基端部を連結する連結部１１とから構成されている。
【００３０】
支持部７は、缶胴１３の外側面にあてるものであり、先端側（下方側）ほど幅が狭くなっている。また、支持部７は横断面が缶胴１３の外周側に突設した屈曲形状を成しており、本実施の形態では缶Ｋのコーナ部に対応して略直角に屈曲している。
【００３１】
切羽９は、缶Ｋの缶蓋３におけるコーナ部に位置して、缶蓋３の上から缶Ｋの内部に押し込まれて缶蓋３に孔Ｓを開けるものである。切羽９は、缶胴１３のコーナ部に沿って外周側に突設した屈曲形状を成し且つ支持部７との間に間隔を開けて支持部７と略平行に設けてあり、支持部７と切羽９との間に缶胴１３の側壁Ｍが挿入されるようになっている。
【００３２】
切羽９は先端（下端）９ａを頂点とし基端９ｂを底辺とする正面視三角形状を成しており、頂点９ａから基端（底辺）９ｂに向かう左右両側辺９ｃ、９ｃに沿って刃が設けてある。切羽９の先端９ａは、支持部７から離れる方向に屈曲しており、押し下げられたときに先端９ａが斜め上方から缶蓋３に切り込む。
【００３３】
切羽９は屈曲した左右の一方側部９ｅと他方側部９ｆとに跨って設けた案内板１５が固定されている。案内板１５は平面視略三角形状を成し、切羽９の両側辺９ｃ、９ｃよりも内側に平面を形成している。尚、本実施の形態では、案内板１５は切羽９に溶接により固定されている。
【００３４】
連結部１１は、支持部７と切羽９との各基端部（上端部）に取付けて、支持部７と切羽９とを間隔を開けて連結している。連結部１１には、切羽９が固定されているが、支持部７はねじ１７により脱着自在に取付けてある。尚、連結部１１も支持部７の屈曲に沿って屈曲して形成されている。
【００３５】
連結部１１の上部には、屈曲を成す一方側部１１ａと他方側部１１ｂとの各々に対応する位置に各々把持用グリップ１９ａ、１９ｂが設けられている。
【００３６】
次に、本実施の形態による缶用孔開け具１の使用方法、及び作用効果を説明する。本実施の形態の缶用孔開け具１で缶Ｋに孔Ｓを開ける場合には、図２に示すように、缶蓋３のコーナ部において、支持部７と切羽９とで缶蓋３の周縁を挟むようにして、支持部７を缶胴１３の外側面にあて切羽９の先端９ａを缶蓋３の上に配置する。そして、把持用グリップ１９ａ、１９ｂを握って、上方から体重をかけていっきに押し下げる。
【００３７】
これにより、切羽９の先端９ａが缶蓋３を突き破って缶Ｋ内に入り込み、支持部７が缶胴１３の外側面に沿って移動し、切羽９と支持部７とは缶胴１３の側壁Ｍを挟むようにして下方に移動して缶蓋３のコーナに略三角形状の孔Ｓ（図６参照）を開ける。
【００３８】
支持部７は缶胴１３の外側面（側壁Ｍの外面）に沿って下方に移動して、切羽９の移動を案内するので、支持部７と共に移動する切羽９を安定に押し下げることができ、缶蓋３に容易に孔Ｓを形成できる。
【００３９】
切羽９は先端９ａが尖っており、押し込みにより孔Ｓの開口を次第に広げるので、小さな力で缶蓋３に切り込むことができる。
【００４０】
切羽９は先端９ａを頂点とする平面視三角形を成しているので、切羽９の押し込み量を調整することにより、孔Ｓの大きさを容易に調整できる。
【００４１】
切羽９及び支持部７は屈曲して形成してあるので、これらの強度を高くできる。
【００４２】
切羽９と支持部７とは各々基端部が連結部１１により連結されており、連結部１１は缶胴１３の側壁Ｍを跨いでいるので、力を入れ過ぎて缶用孔開け具１を押し下げすぎた場合でも、連結部１１が缶の側壁Ｍの頂部に当接して切羽９の移動を停止するので、切羽９が缶Ｋ内に落ち込むことがない。
【００４３】
支持部７を缶Ｋの強度が高いコーナ部の外側面にあてて連結部１１を押し下げるので、缶Ｋの変形を防止できる。
【００４４】
孔開け後に連結部１１を引き上げれば、支持部７と共に切羽９を缶蓋３から容易に引き抜くことができる。
【００４５】
図６及び図７に示すように、缶蓋３に形成した孔Ｓの切口は、切羽９の裏面（支持部７側面）が缶蓋３の内周縁部の切口Ｓ１、Ｓ２に当接して切口Ｓ１、Ｓ２を下方に向けて押し潰すので、切口Ｓにおける缶蓋周縁部Ｓ１、Ｓ２が鋭利になるのを防止する。更に、案内板１５が缶蓋３の切片２１に当接しつつ缶Ｋ内に向けて押し曲げるので、孔Ｓを広くできると共に切口Ｓ３も押し曲げてあるから、孔Ｓの開口周囲全体が鋭利にならないで済む。
【００４６】
連結部１１には屈曲した左右両側部に把持用グリップ１９ａ、１９ｂを設けているので、缶Ｋのコーナ部において両手で左右のグリップ１９ａ、１９ｂを握って体重をかけた押し込みができる。
【００４７】
切羽９が缶Ｋ内の内容物に触れて汚れた場合には連結部１１のねじ１７を緩めて、支持部７を外し把持用グリップ１９ａ、１９ｂを持って洗浄できるので、切羽９の洗浄が容易である。また、支持部７を外すことにより、切羽９の裏側（支持部側面）が洗浄し易くなる。
【００４８】
本発明は上述した実施の形態に限定されず、その要旨を逸脱しない範囲で種々の変形が可能である。
【００４９】
例えば、缶Ｋは直方体形状の一斗缶に限らず、円柱形状の缶であってもよいし、一斗缶や半斗缶に限るものでなく、缶であればその容量は制限されない。
【００５０】
連結部１１に対して、支持部７と切羽９との両方をねじにより脱着自在にしてもよい。
【図面の簡単な説明】
【００５１】
【図１】本発明の実施の形態にかかる缶用孔開け具の使用状態を示す斜視図である。
【図２】図１に示す缶用孔開け具による孔開け操作前の状態を示す斜視図である。
【図３】本発明の実施の形態にかかる缶用孔開け具を正面から見た斜視図である。
【図４】図３に示す缶用孔開け具の側面図である。
【図５】図３に示す缶用孔開け具の縦断面図である。
【図６】缶用孔開け具により開けた孔の斜視図である。
【図７】図６に示すＡ―Ａ断面図である。
【符号の説明】
【００５２】
１      缶用孔開け具
３      缶蓋
７      支持部
９      切羽
９ａ    先端（下端）
９ｃ    両側辺
１１    連結部
１３    缶胴
１５    案内板
１９ａ、１９ｂ    把持用グリップ
Ｋ      缶
Ｍ      缶の側壁
Ｓ      孔
【図１】
2007302306.tif 000003
【図２】
2007302306.tif 000004
【図３】
2007302306.tif 000005
【図４】
2007302306.tif 000006
【図５】
2007302306.tif 000007
【図６】
2007302306.tif 000008
【図７】
2007302306.tif 000009